(57)【要約】【課題】ローカル識別子を用いた通信における混乱を抑制することが可能な仕組みを提供する。【解決手段】無線ＬＡＮ（Local  Area  Network）において用いられる、グローバル識別子と異なるローカル識別子が特定される第１の情報を含む他の通信装置宛ての第１の信号を受信し、受信された前記第１の信号に含まれる前記第１の情報から特定される前記ローカル識別子が特定される第２の情報を含む第２の信号を送信する通信部を備える、通信装置。無線ＬＡＮ（Local  Area  Network）において用いられる、グローバル識別子と異なるローカル識別子が特定される第２の情報を含む第２の信号を受信し、自装置が割り当てるローカル識別子が特定される第３の情報を含む第３の信号を送信する通信部を備える、通信装置。【選択図】図１１
2017064902.tif 000002
【特許請求の範囲】
【請求項１】
無線ＬＡＮ（Local  Area  Network）において用いられる、グローバル識別子と異なるローカル識別子が特定される第１の情報を含む他の通信装置宛ての第１の信号を受信し、
受信された前記第１の信号に含まれる前記第１の情報から特定される前記ローカル識別子が特定される第２の情報を含む第２の信号を送信する通信部を備える、通信装置。
【請求項２】
前記ローカル識別子は、通信装置に割り当てられる識別子を含む、請求項１に記載の通信装置。
【請求項３】
前記通信装置に割り当てられる識別子は、アソシエーション識別子を含む、請求項２に記載の通信装置。
【請求項４】
前記ローカル識別子は、無線通信ネットワークに割り当てられる識別子を含む、請求項１に記載の通信装置。
【請求項５】
前記無線通信ネットワークに割り当てられる識別子は、ＢＳＳ（Basic  Service  Set）を物理層で識別するための情報を含む、請求項４に記載の通信装置。
【請求項６】
前記第２の情報は、受信された前記第１の信号に含まれる前記ローカル識別子を示す情報を含む、請求項１に記載の通信装置。
【請求項７】
前記第２の情報は、前記ローカル識別子の重複を示す情報を含む、請求項１に記載の通信装置。
【請求項８】
前記第２の情報は、受信された前記第１の信号の周波数に対応付けられる、請求項１に記載の通信装置。
【請求項９】
前記第２の信号は、アソシエーション要求フレームを含む、請求項１に記載の通信装置。
【請求項１０】
前記通信部は、前記第２の情報に係る前記ローカル識別子と値が異なる前記ローカル識別子が特定される第３の情報を含む第３の信号をさらに受信する、請求項１に記載の通信装置。
【請求項１１】
無線ＬＡＮ（Local  Area  Network）において用いられる、グローバル識別子と異なるローカル識別子が特定される第２の情報を含む第２の信号を受信し、
自装置が割り当てるローカル識別子が特定される第３の情報を含む第３の信号を送信する通信部を備える、通信装置。
【請求項１２】
前記第３の情報から特定されるローカル識別子は、前記第２の信号に含まれる前記第２の情報から特定される前記ローカル識別子と値が異なる、請求項１１に記載の通信装置。
【請求項１３】
前記ローカル識別子は、単一または複数の周波数毎に独立して割り当てられる、請求項１１に記載の通信装置。
【請求項１４】
前記ローカル識別子は、複数の周波数で共通して割り当てられる、請求項１１に記載の通信装置。
【請求項１５】
前記第３の信号は、アソシエーション応答フレームを含む、請求項１１に記載の通信装置。
【請求項１６】
前記第３の信号は、所定の時間間隔で送信されるフレームを含む、請求項１１に記載の通信装置。
【請求項１７】
通信部によって、無線ＬＡＮ（Local  Area  Network）において用いられる、グローバル識別子と異なるローカル識別子が特定される第１の情報を含む他の通信装置宛ての第１の信号を受信することと、
受信された前記第１の信号に含まれる前記第１の情報から特定される前記ローカル識別子が特定される第２の情報を含む第２の信号を送信することと、
を含む、通信方法。
【請求項１８】
通信部によって、無線ＬＡＮ（Local  Area  Network）において用いられる、グローバル識別子と異なるローカル識別子が特定される第２の情報を含む第２の信号を受信することと、
自装置が割り当てるローカル識別子が特定される第３の情報を含む第３の信号を送信することと、
を含む、通信方法。
【発明の詳細な説明】
【技術分野】
【０００１】
本開示は、通信装置および通信方法に関する。
【背景技術】
【０００２】
近年、ＩＥＥＥ（Institute  of  Electrical  and  Electronics  Engineers）８０２．１１に代表される無線ＬＡＮ（Local  Area  Network）の普及が進んでいる。また、それに伴って無線ＬＡＮ対応製品（以下、単に通信装置とも称する。）も増加している。このような通信装置が増加すると通信効率が低下する可能性が高くなる。そのため、通信効率を向上させるための技術開発が行われている。【０００３】
例えば、特許文献１では、フレーム（パケット）のヘッダ情報を低減することにより、通信効率を向上させる方法に係る発明が開示されている。具体的には、ＭＡＣ（Media  Access  Control）アドレス等のグローバル識別子の代わりにＡＩＤ（Association  Identifier）等のローカル識別子がヘッダ情報の一部としてフレームに格納される。ＡＩＤは、ＭＡＣアドレスに比べて短いデータであるため、ヘッダ情報のサイズが縮小され、それにより通信効率が向上すると考えられる。【０００４】
また、上述したＡＩＤ等のローカル識別子は、ＡＰ（Access  Point）として動作する通信装置（以下、単にＡＰとも称する。）によって割り当てられる。具体的には、当該ローカル識別子は、ＡＰと当該ＡＰに接続されるＳＴＡ（Station）として動作する通信装置（以下、単にＳＴＡとも称する。）とを含む、例えばＢＳＳ（Basic  Service  Set）のような無線通信ネットワーク毎に独立して割り当てられる。
【先行技術文献】
【特許文献】
【０００５】
【特許文献１】特許５７４６４２５号公報
【発明の概要】
【発明が解決しようとする課題】
【０００６】
しかし、特許文献１で開示される発明では、ローカル識別子を用いた通信において混乱が生じる可能性があった。例えば、上述したようにローカル識別子はＢＳＳ毎に独立して割り当てられるため、ローカル識別子がＢＳＳ間で重複する場合がある。この場合、ＢＳＳが重なり合う環境（以下、ＯＢＳＳ（Overlap  BSS）環境とも称する。）下では、ローカル識別子を用いた通信がいずれのＢＳＳにおける通信であるかが不明確となる。その結果、通信の重複または誤った通信の発生といった通信の混乱が生じかねない。【０００７】
そこで、本開示では、ローカル識別子を用いた通信における混乱を抑制することが可能な仕組みを提案する。
【課題を解決するための手段】
【０００８】
本開示によれば、無線ＬＡＮ（Local  Area  Network）において用いられる、グローバル識別子と異なるローカル識別子が特定される第１の情報を含む他の通信装置宛ての第１の信号を受信し、受信された前記第１の信号に含まれる前記第１の情報から特定される前記ローカル識別子が特定される第２の情報を含む第２の信号を送信する通信部を備える、通信装置が提供される。【０００９】
また、本開示によれば、無線ＬＡＮ（Local  Area  Network）において用いられる、グローバル識別子と異なるローカル識別子が特定される第２の情報を含む第２の信号を受信し、自装置が割り当てるローカル識別子が特定される第３の情報を含む第３の信号を送信する通信部を備える、通信装置が提供される。【００１０】
また、本開示によれば、通信部によって、無線ＬＡＮ（Local  Area  Network）において用いられる、グローバル識別子と異なるローカル識別子が特定される第１の情報を含む他の通信装置宛ての第１の信号を受信することと、受信された前記第１の信号に含まれる前記第１の情報から特定される前記ローカル識別子が特定される第２の情報を含む第２の信号を送信することと、を含む、通信方法が提供される。【００１１】
また、本開示によれば、通信部によって、無線ＬＡＮ（Local  Area  Network）において用いられる、グローバル識別子と異なるローカル識別子が特定される第２の情報を含む第２の信号を受信することと、自装置が割り当てるローカル識別子が特定される第３の情報を含む第３の信号を送信することと、を含む、通信方法が提供される。
【発明の効果】
【００１２】
以上説明したように本開示によれば、ローカル識別子を用いた通信における混乱を抑制することが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の一実施形態に係る通信装置を含む通信システムの構成例を示す図である。
【図２Ａ】従来におけるＡＩＤの重複割り当ての例を説明するための図である。
【図２Ｂ】従来におけるＡＩＤの重複割り当ての例を説明するための図である。
【図３Ａ】従来におけるＰＩＤの重複割り当ての例を説明するための図である。
【図３Ｂ】従来におけるＰＩＤの重複割り当ての例を説明するための図である。
【図４Ａ】本開示の一実施形態におけるＡＩＤの割り当ての例を説明するための図である。
【図４Ｂ】本開示の一実施形態におけるＡＩＤの割り当ての例を説明するための図である。
【図５Ａ】本開示の一実施形態におけるＰＩＤの割り当ての例を説明するための図である。
【図５Ｂ】本開示の一実施形態におけるＰＩＤの割り当ての例を説明するための図である。
【図６】本開示の一実施形態に係る通信装置の概略的な機能構成の例を示すブロック図である。
【図７】同実施形態に係る無線通信モジュールの概略的な機能構成の例を示すブロック図である。
【図８】チャネルボンディングの例を示す模式図である。
【図９】本開示の一実施形態に係るローカル情報の構成例を示す図である。
【図１０】同実施形態に係るローカル情報の構成例を示す図である。
【図１１】同実施形態に係る通信装置の処理の概要を概念的に示すシーケンス図である。
【図１２】同実施形態に係るＳＴＡの処理の詳細を概念的に示すフローチャートである。
【図１３】同実施形態に係るＡＰの処理の詳細を概念的に示すフローチャートである。
【図１４】スマートフォンの概略的な構成の一例を示すブロック図である。
【図１５】カーナビゲーション装置の概略的な構成の一例を示すブロック図である。
【図１６】無線アクセスポイントの概略的な構成の一例を示すブロック図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、本明細書及び図面において、実質的に同一の機能構成を有する複数の構成要素を、同一の符号の後に異なる番号を付して区別する場合もある。例えば、実質的に同一の機能を有する複数の構成を、必要に応じてＳＴＡ２００ＡおよびＳＴＡ２００Ｂなどのように区別する。ただし、実質的に同一の機能構成を区別する必要が無い場合、同一符号のみを付する。例えば、ＳＴＡ２００ＡおよびＳＴＡ２００Ｂを特に区別する必要がない場合には、単にＳＴＡ２００と称する。
【００１６】
なお、説明は以下の順序で行うものとする。
１．本開示の一実施形態に係る通信装置の概要と従来技術の課題
２．本開示の一実施形態に係る通信装置の詳細
２−１．通信装置の構成
２−２．通信装置の機能詳細
２−３．通信装置の処理
２−４．本実施形態のまとめ
３．応用例
４．むすび
【００１７】
＜１．本開示の一実施形態に係る通信装置の概要と従来技術の課題＞
まず、図１を参照して、本開示の一実施形態に係る通信装置の概要について説明する。図１は、本開示の一実施形態に係る通信装置を含む通信システムの構成例を示す図である。
【００１８】
本開示の一実施形態に係る通信装置は、通信接続機能および信号の送受信機能を有する。具体的には、通信装置はＡＰ１００またはＳＴＡ２００であり、ＳＴＡ２００は通信接続要求をＡＰ１００に送信する。当該通信接続要求を受信したＡＰ１００は、通信接続の確立を許可する場合には、当該ＡＰ１００の属する無線通信ネットワークにおけるローカル識別子を割り当て、当該ローカル識別子を含む通信接続応答をＳＴＡ２００に送信する。そして、通信接続が確立されると、ＡＰ１００およびＳＴＡ２００は割り当てられたローカル識別子を用いて互いに通信する。
【００１９】
例えば、図１に示したような、ＡＰ１００＃１およびＳＴＡ２００Ａ＃１〜２００Ｃ＃１がＢＳＳ＃１に属し、ＡＰ１００＃２およびＳＴＡ２００＃２がＢＳＳ＃２に属する場合を考える。
【００２０】
ＳＴＡ２００Ａ＃１は、ＡＰ１００＃１と通信可能に位置しており、当該ＡＰ１００＃１と通信接続を確立する場合、アソシエーション要求フレームを当該ＡＰ１００＃１に送信する。アソシエーション要求フレームを受信したＡＰ１００＃１は、通信接続を許可する場合、ＳＴＡ２００Ａ＃１にＡＩＤを割り当て、割り当てられるＡＩＤを含むアソシエーション応答フレームを当該ＳＴＡ２００Ａ＃１に送信する。その後、割り当てられたＡＩＤを用いてＡＰ１００＃１およびＳＴＡ２００Ａ＃１は通信する。同様に、ＳＴＡ２００＃２がＡＰ１００＃２と通信接続を確立する場合も、アソシエーション要求フレームおよびアソシエーション応答フレームの通信が行われる。
【００２１】
ここで、従来では、ローカル識別子は、無線通信ネットワーク毎に独立して割り当てられる。そのため、無線通信ネットワークの範囲が重なり合う場合には、ローカル識別子を用いた通信で混乱が生じる可能性がある。この場合について、図２Ａおよび図２Ｂを参照して詳細に説明する。図２Ａおよび図２Ｂは、従来におけるＡＩＤの重複割り当ての例を説明するための図である。
【００２２】
従来では、ＢＳＳ毎に独立してＡＩＤ等のローカル識別子が割り当てられる。このため、ＢＳＳ間でローカル識別子が重複する可能性がある。例えば、図２Ａに示したように、ＢＳＳ＃１に属するＳＴＡ２０Ａ＃１〜ＳＴＡ２０Ｃ＃１の各々には、ＡＩＤとしてそれぞれ０ｘ０１〜０ｘ０３が割り当てられる。また、ＢＳＳ＃２に属するＳＴＡ２０＃２には、ＡＩＤとして０ｘ０１が割り当てられる。このように、図２Ａの例では、ＳＴＡ２０Ａ＃１のＡＩＤおよびＳＴＡ２０＃２のＡＩＤが重複している。その結果、図２Ａに示したようにＳＴＡ２０Ａ＃１およびＳＴＡ２０＃２が通信可能に位置する場合には、ＳＴＡ２０Ａ＃１またはＳＴＡ２０＃２の一方から送信されるＡＰ１０宛てのＡＩＤを用いた通信に係る信号が他方に受信されることにより、通信の混乱が生じかねない。
【００２３】
また、図２Ｂに示したようにＳＴＡ２０＃２がＡＰ１０＃１と通信可能に位置する場合には、ＡＰ１０＃１は、ＳＴＡ２０＃２から送信されるＡＰ１０＃２宛ての信号をＳＴＡ２０Ａ＃１から送信された自装置宛ての信号であると誤認識し、ＳＴＡ２０Ａ＃１宛ての信号を送信してしまうことがある。反対に、ＳＴＡ２０＃２は、ＡＰ１０＃１からＳＴＡ２０Ａ＃１宛ての信号を自装置宛ての信号と誤認識し、受信してしまうことがある。
【００２４】
また、ローカル識別子は、ＰＨＹ（Physical  layer）識別子（以下、ＰＨＹ  ＩＤまたはＰＩＤとも称する。）であり得る。例えば、ＰＨＹ識別子は、ＢＳＳのＣＯＬＯＲ情報である。さらに、図３Ａおよび図３Ｂを参照してローカル識別子がＰＩＤである場合について詳細に説明する。図３Ａおよび図３Ｂは、従来におけるＰＩＤの重複割り当ての例を説明するための図である。
【００２５】
ＡＩＤの場合と同様に、ＰＨＹ識別子もＢＳＳ毎に独立して割り当てられる。このため、ＢＳＳ間でＰＨＹ識別子が重複する可能性がある。例えば、図３Ａに示したように、ＢＳＳ＃１ではＰＩＤとして１が割り当てられる。また、ＢＳＳ＃２ではＰＩＤとして１が割り当てられる。なお、ＰＩＤ、例えばＢＳＳのＣＯＬＯＲ情報は、ＡＰ１０によって割り当てられる。このように、図３Ａの例では、ＢＳＳ＃１およびＢＳＳ＃２のＰＩＤが重複している。その結果、図３Ａに示したようにＳＴＡ２０Ａ＃１およびＳＴＡ２０＃２が通信可能に位置する場合には、ＳＴＡ２０Ａ＃１またはＳＴＡ２０＃２の一方から送信されるＡＰ１０宛ての信号が、ＰＩＤが同じであることが原因で他方に受信されてしまうことがある。さらに、同じＰＩＤの信号の受信に基づき送信停止期間、例えばＮＡＶ（Network  Allocation  Vector）期間が設定されかねない。
【００２６】
なお、ＰＩＤはＰＬＣＰ（Physical  Layer  Convergence  Protocol）ヘッダ（またはＰＨＹヘッダとも称する。）に含まれるが、ＰＬＣＰヘッダは短いことが望ましいため、ＰＩＤのデータサイズも小さいことが望まれる。例えば、上述のＣＯＬＯＲ情報は、３ビットを用いて表現される７種類の情報である。そのため、ＡＰ１０が密集して配置される場合には、他のＰＩＤと重複する可能性が高くなる。
【００２７】
また、図３Ｂに示したようにＳＴＡ２０＃２がＡＰ１０＃１と通信可能に位置する場合には、ＡＰ１０＃１は、ＳＴＡ２０＃２から送信されるＢＳＳ＃２のための信号を自装置の属するＢＳＳ＃１のための信号であると誤認識し、通信処理を行ってしまうことがある。反対に、ＳＴＡ２０＃２は、ＡＰ１０＃１から送信されるＢＳＳ＃１のための信号を自装置宛ての信号と誤認識し、受信しかねない。
【００２８】
このように、従来では、ＢＳＳ間でローカル識別子が重複することにより、通信の重複または誤った通信の発生といった通信の混乱が生じかねない。なお、ＡＰ１０間が有線等によって接続され、有線通信を介して個々のＢＳＳのローカル識別子をＡＰ１０間で共有する技術も開発されている。確かに当該技術を利用すれば、ＢＳＳ間でのローカル識別子の重複が回避され得る。しかし、当該技術では、ＡＰ１０間が接続されることが前提とされており、費用が追加的に発生してしまう。
【００２９】
そこで、本開示では、ＳＴＡ２００として、ローカル識別子が特定される第１の情報を含む他の通信装置宛ての第１の信号を受信し、当該第１の信号に含まれる第１の情報から特定されるローカル識別子が特定される第２の情報を含む第２の信号を送信する通信装置を提案する。また、ＡＰ１００として、当該第２の信号を受信し、自装置が割り当てるローカル識別子が特定される第３の情報を含む第３の信号を通信する通信装置を提案する。図４Ａおよび図４Ｂならびに図５Ａおよび図５Ｂを参照して、処理の概要を説明する。図４Ａおよび図４Ｂは、本開示の一実施形態におけるＡＩＤの割り当ての例を説明するための図である。また、図５Ａおよび図５Ｂは、本開示の一実施形態におけるＰＩＤの割り当ての例を説明するための図である。
【００３０】
まず、図４Ａおよび図４Ｂを参照して、ローカル識別子がＡＩＤである場合を説明する。ＳＴＡ２００Ａ＃１は、ＳＴＡ２００＃２からＡＩＤ（０ｘ０１）を含む信号を、ＳＴＡ２００Ｂ＃１からＡＩＤ（０ｘ０２）を含む信号を、図４Ａに示したようにそれぞれ受信する。そして、ＳＴＡ２００Ａ＃１は、受信された信号から得られるＡＩＤ（０ｘ０１および０ｘ０２）が特定される情報を含む信号をＡＰ１００＃１に送信する。
【００３１】
ＡＰ１００＃１は、ＳＴＡ２００Ａ＃１からＡＩＤ（０ｘ０１および０ｘ０２）が特定される情報を含む信号を受信する。次に、ＡＰ１００＃１は、受信された信号から得られるＡＩＤ（０ｘ０１および０ｘ０２）が特定される情報に基づいてＳＴＡ２００Ａ＃１についてのＡＩＤ（０ｘ０４）を割り当てる。そして、ＡＰ１００＃１は、割り当てられたＡＩＤ（０ｘ０４）を含む信号を、図４Ｂに示したようにＳＴＡ２００Ａ＃１に送信する。
【００３２】
続いて、図５Ａおよび図５Ｂを参照して、ローカル識別子がＰＩＤである場合を説明する。ＳＴＡ２００Ａ＃１は、ＳＴＡ２００＃２からＰＩＤ（１）を含む信号を、ＳＴＡ２００Ｂ＃１からＰＩＤ（１）を含む信号を、図５Ａに示したようにそれぞれ受信する。そして、ＳＴＡ２００Ａ＃１は、受信された信号から得られるＰＩＤ（１）が重複している場合、当該重複するＰＩＤ（１）が特定される情報として、ＰＩＤの重複を示す情報を含む信号をＡＰ１００＃１に送信する。
【００３３】
ＡＰ１００＃１は、ＳＴＡ２００Ａ＃１からＰＩＤの重複を示す情報を含む信号を受信する。次に、ＡＰ１００＃１は、受信された信号に基づいて特定されるＰＩＤ（１）を他のＰＩＤ（３）に変更する。そして、ＡＰ１００＃１は、変更されたＰＩＤ（３）を含む信号を、図５Ｂに示したようにＳＴＡ２００Ａ＃１〜ＳＴＡ２００Ｃ＃１に送信する。
【００３４】
このように、ＳＴＡ２００は、ローカル識別子が特定される第１の情報を含む他の通信装置宛ての第１の信号を受信し、当該第１の信号に含まれる第１の情報から特定されるローカル識別子が特定される第２の情報を含む第２の信号を送信する。また、ＡＰ１００は、当該第２の信号を受信し、自装置が割り当てるローカル識別子が特定される第３の情報を含む第３の信号を通信する。このため、既に割り当てられているローカル識別子の情報がＡＰ１００に通知されることにより、ローカル識別子の重複を回避することができる。従って、ＯＢＳＳ環境においてもローカル識別子を用いた通信における混乱を抑制することが可能となる。
【００３５】
なお、図１においては無線通信ネットワークの一例として、ＡＰ１００とＳＴＡ２００とを含むＢＳＳを説明したが、全ての通信装置がＳＴＡ２００であり、ＳＴＡ２００のうちの１つが他のＳＴＡ２００との複数のダイレクトリンクを持つとしてもよい。その場合、ＡＰ１００からＳＴＡ２００へのダウンリンクが「１つのＳＴＡ２００から複数のＳＴＡ２００への同時送信」と、ＳＴＡ２００からＡＰ１００へのアップリンクが「複数のＳＴＡ２００から１つのＳＴＡ２００への同時送信」と読み替えられる。
【００３６】
＜２．本開示の一実施形態に係る通信装置の詳細＞
以上、本開示の一実施形態に係る通信装置の概要について説明した。次に、本開示の一実施形態に係る通信装置の詳細について説明する。
【００３７】
＜２−１．通信装置の構成＞
まず、図６を参照して、本開示の一実施形態に係るＡＰ１００およびＳＴＡ２００（以下、通信装置１００（２００）とも称する。）の機能構成について説明する。図６は、本開示の一実施形態に係る通信装置１００（２００）の概略的な機能構成の例を示すブロック図である。
【００３８】
通信装置１００（２００）は、図６に示したように、無線通信モジュール１０１（２０１）、有線通信モジュール１０２（２０２）、機器制御部１０３（２０３）、情報入力部１０４（２０４）および情報出力部１０５（２０５）を備える。
【００３９】
無線通信モジュール１０１（２０１）は、ＡＰ１００またはＳＴＡ２００との無線通信を行う。具体的には、無線通信モジュール１０１（２０１）は、機器制御部１０３（２０３）から得られるデータを送信し、受信されるデータを機器制御部１０３（２０３）に提供する。詳細については後述する。
【００４０】
有線通信モジュール１０２（２０２）は、有線を介して外部の装置と通信を行う。具体的には、有線通信モジュール１０２（２０２）は、インターネットと接続され、インターネットを介して外部の装置と通信を行う。例えば、有線通信モジュール１０２（２０２）は、無線通信モジュール１０１（２０１）が通信により取得したデータを外部の装置にインターネットを介して送信する。なお、有線通信モジュール２０２は、ＳＴＡ２００では含まれなくてもよい。
【００４１】
機器制御部１０３（２０３）は、通信装置１００（２００）の動作を全体的に制御する。具体的には、機器制御部１０３（２０３）は、無線通信モジュール１０１（２０１）および有線通信モジュール１０２（２０２）の通信を制御する。例えば、機器制御部１０３（２０３）は、情報入力部１０４（２０４）から得られるデータを無線通信モジュール１０１（２０１）または有線通信モジュール１０２（２０２）に送信させる。また、機器制御部１０３（２０３）は、無線通信モジュール１０１（２０１）または有線通信モジュール１０２（２０２）の通信により得られるデータを情報出力部１０５（２０５）に出力させる。
【００４２】
情報入力部１０４（２０４）は、通信装置の外部からの入力を受け付ける。具体的には、情報入力部１０４（２０４）は、ユーザ入力またはセンサから得られる情報を受け付ける。例えば、情報入力部１０４（２０４）は、キーボードもしくはタッチパネル等の入力装置またはセンサ等の検出装置である。なお、情報入力部１０４（２０４）は、センサから得られる信号を機器制御部１０３（２０３）にて処理可能な情報に変換してもよい。例えば、情報入力部１０４（２０４）は、撮像センサから得られる信号を画像情報に変換する。なお、情報入力部１０４は、ＡＰ１００では含まれなくてもよい。
【００４３】
情報出力部１０５（２０５）は、データを出力する。具体的には、情報出力部１０５（２０５）は、機器制御部１０３（２０３）から指示されるデータを出力する。例えば、情報出力部１０５（２０５）は、画像情報に基づき画像を出力するディスプレイまたは音声情報に基づき音声もしくは音楽を出力するスピーカ等である。なお、情報出力部１０５は、ＡＰ１００では含まれなくてもよい。
【００４４】
（無線通信モジュールの構成）
続いて、図７を参照して、無線通信モジュール１０１（２０１）の機能構成について説明する。図７は、本開示の一実施形態に係る無線通信モジュール１０１（２０１）の概略的な機能構成の例を示すブロック図である。
【００４５】
無線通信モジュール１０１（２０１）は、図７に示したように、通信部として、データ処理部１１０（２１０）、制御部１２０（２２０）および無線通信部１３０（２３０）を備える。
【００４６】
（データ処理部）
データ処理部１１０（２１０）は、図７に示したように、インタフェース部１１１、送信バッファ１１２、送信フレーム構築部１１３、受信フレーム解析部１１４および受信バッファ１１５を備える。
【００４７】
インタフェース部１１１は、通信装置１００（２００）に備えられる他の機能構成と接続されるインタフェースである。具体的には、インタフェース部１１１は、当該他の機能構成、例えば機器制御部１０３（２０３）からの伝送が所望されるデータの受け取り、または当該機器制御部１０３（２０３）への受信データの提供等を行う。
【００４８】
送信バッファ１１２は、送信されるデータを格納する。具体的には、送信バッファ１１２は、インタフェース部１１１によって得られたデータを格納する。
【００４９】
送信フレーム構築部１１３は、送信されるフレームを生成する。具体的には、送信フレーム構築部１１３は、送信バッファ１１２に格納されるデータまたは制御部１２０（２２０）によって設定される制御情報に基づいてフレームを生成する。例えば、送信フレーム構築部１１３は、送信バッファ１１２から取得されるデータからフレーム（パケット）を生成し、生成されるフレームにメディアアクセス制御（ＭＡＣ）のためのＭＡＣヘッダの付加および誤り検出符号の付加等の処理を行う。
【００５０】
受信フレーム解析部１１４は、受信されたフレームの解析を行う。具体的には、受信フレーム解析部１１４は、無線通信部１３０（２３０）によって受信されたフレームの宛先の判定および当該フレームに含まれるデータまたは制御情報の取得を行う。例えば、受信フレーム解析部１１４は、受信されるフレームについて、ＭＡＣヘッダの解析、符号誤りの検出および訂正、ならびにリオーダ処理等を行うことにより当該受信されるフレームに含まれるデータ等を取得する。
【００５１】
受信バッファ１１５は、受信されたデータを格納する。具体的には、受信バッファ１１５は、受信フレーム解析部１１４によって取得されたデータを格納する。
【００５２】
（制御部）
制御部１２０（２２０）は、図７に示したように、処理制御部１２１および信号制御部１２２を備える。
【００５３】
処理制御部１２１は、データ処理部１１０（２１０）の動作を制御する。具体的には、処理制御部１２１は、通信の発生を制御する。例えば、処理制御部１２１は、通信の接続要求が発生すると、アソシエーション処理またはオーセンティケーション処理といった接続処理または認証処理に係るフレームをデータ処理部１１０に生成させる。
【００５４】
また、処理制御部１２１は、送信バッファ１１２におけるデータの格納状況または受信フレームの解析結果等に基づいてフレーム生成を制御する。例えば、処理制御部１２１は、送信バッファ１１２にデータが格納されている場合、当該データが格納されるデータフレームの生成を送信フレーム構築部１１３に指示する。また、処理制御部１２１は、受信フレーム解析部１１４によってフレームの受信が確認された場合、受信されたフレームへの応答となる確認応答フレームの生成を送信フレーム構築部１１３に指示する。
【００５５】
信号制御部１２２は、無線通信部１３０（２３０）の動作を制御する。具体的には、信号制御部１２２は、無線通信部１３０（２３０）の送受信処理を制御する。例えば、信号制御部１２２は、処理制御部１２１の指示に基づいて送信および受信のためのパラメタを無線通信部１３０（２３０）に設定させる。
【００５６】
なお、自装置の属する無線通信ネットワークの情報および当該無線通信ネットワークにおけるローカル識別子ならびにグローバル識別子については、制御部１２０（２２０）によって管理される。
【００５７】
（無線通信部）
無線通信部１３０（２３０）は、図７に示したように、送信処理部１３１、受信処理部１３２およびアンテナ制御部１３３を備える。
【００５８】
送信処理部１３１は、フレームの送信処理を行う。具体的には、送信処理部１３１は、送信フレーム構築部１１３から提供されるフレームに基づいて、送信される信号を生成する。より具体的には、送信処理部１３１は、信号制御部１２２からの指示により設定されるパラメタに基づいてフレームに係る信号を生成する。例えば、送信処理部１３１は、データ処理部１１０（２１０）から提供されるフレームについて、制御部１２０（２２０）によって指示されるコーディングおよび変調方式等に従って、エンコード、インタリーブおよび変調を行うことによりシンボルストリームを生成する。また、送信処理部１３１は、前段の処理によって得られるシンボルストリームに係る信号を、アナログ信号に変換し、増幅し、フィルタリングし、および周波数アップコンバートする。
【００５９】
なお、送信処理部１３１は、フレームの多重化処理を行ってもよい。具体的には、送信処理部１３１は、周波数分割多重化または空間分割多重化に係る処理を行う。
【００６０】
受信処理部１３２は、フレームの受信処理を行う。具体的には、受信処理部１３２は、アンテナ制御部１３３から提供される信号に基づいてフレームの復元を行う。例えば、受信処理部１３２は、アンテナから得られる信号について、信号送信の際と逆の処理、例えば周波数ダウンコンバートおよびデジタル信号変換等を行うことによりシンボルストリームを取得する。また、受信処理部１３２は、前段の処理によって得られるシンボルストリームについて、復調およびデコード等を行うことによりフレームを取得し、取得されるフレームをデータ処理部１１０（２１０）または制御部１２０（２２０）に提供する。
【００６１】
なお、受信処理部１３２は、多重化フレームの分離に係る処理を行ってもよい。具体的には、受信処理部１３２は、周波数分割多重化され、または空間分割多重化されたフレームの分離に係る処理を行う。
【００６２】
また、受信処理部１３２は、チャネル利得を推定してもよい。具体的には、受信処理部１３２は、アンテナ制御部１３３から得られる信号のうちの、プリアンブル部分またはトレーニング信号部分から複素チャネル利得情報を算出する。なお、算出される複素チャネル利得情報は、フレーム多重化に係る処理およびフレーム分離処理等に利用される。
【００６３】
アンテナ制御部１３３は、少なくとも１つのアンテナを介して信号の送受信を行う。具体的には、アンテナ制御部１３３は、アンテナを介して送信処理部１３１によって生成される信号を送信し、アンテナを介して受信される信号を受信処理部１３２に提供する。また、アンテナ制御部１３３は、空間分割多重化に係る制御を行ってもよい。
【００６４】
＜２−２．通信装置の機能詳細＞
次に、本開示の一実施形態に係る通信装置１００（２００）の機能詳細について説明する。
【００６５】
（Ａ．ＳＴＡの機能詳細）
まず、ＳＴＡ２００の機能詳細について説明する。
【００６６】
（Ａ−１．割り当て中のローカル識別子の収集）
ＳＴＡ２００は、既に割り当てられているローカル識別子を収集する。具体的には、ＳＴＡ２００は、ローカル識別子が特定される第１の情報を含む他の通信装置宛ての第１の信号を受信する。当該ローカル識別子はＢＳＳに属する通信装置に割り当てられる識別子である。例えば、当該通信装置に割り当てられる識別子は、アソシエーション識別子（ＡＩＤ）である。詳細には、制御部２２０は、所定の期間、無線通信部２３０に第１の信号が受信可能な状態で待機させる。そして、無線通信部２３０によって信号が受信されると、データ処理部２１０は、受信された信号からＡＩＤを取得する。なお、当該信号の受信待機および受信処理をまとめてスキャンとも称する。また、所定の時間間隔でスキャンが実行されてもよい。
【００６７】
また、ローカル識別子は、通信装置に割り当てられる識別子に代えてまたはそれに加えて、無線通信ネットワークに割り当てられる識別子であってもよい。具体的には、無線通信ネットワークに割り当てられる識別子は、物理層の識別子（ＰＨＹ識別子）であり、ＢＳＳを物理層で識別するための情報である。例えば、無線通信部２３０は、信号が受信されると、当該信号のＰＬＣＰヘッダに含まれるＢＳＳのＣＯＬＯＲ情報を取得する。
【００６８】
取得されたローカル識別子は、ＳＴＡ２００において記録される。具体的には、取得されたローカル識別子は、当該ローカル識別子が割り当てられている無線通信ネットワークすなわちＢＳＳとの対応付けと共に記憶部に記憶される。例えば、ＰＩＤは、当該ＰＩＤを含む信号に含まれるＢＳＳＩＤとの対応付けと共に記憶される。また、ＡＩＤは、当該ＡＩＤが割り当てられているＢＳＳＩＤとの対応付けと共に記憶される。なお、ＡＩＤは、ＢＳＳＩＤとの対応付けなしで記憶されてもよい。
【００６９】
また、ＳＴＡ２００は、周波数毎にスキャンしてもよい。具体的には、ＳＴＡ２００は、所定の期間、自装置で利用可能な周波数についてスキャンを実行する。さらに、図８を参照して、周波数毎のスキャンについて説明する。図８は、チャネルボンディングの例を示す模式図である。
【００７０】
従来では、ローカル識別子は周波数チャネル毎に独立して割り当てられることが許容されていた。例えば、図８に示したように、Ｃｈ．３６〜Ｃｈ．６４といった８つの２０ＭＨｚ単位の周波数チャネルのそれぞれについて、独立してローカル識別子が割り当てられていた。そして、隣接するＡＰには、互いに異なる周波数チャネルが利用可能な周波数チャネルとして割り当てられていた。そのため、異なる周波数チャネルの間でローカル識別子が重複しても通信の混乱が生じにくかった。また、周波数チャネル数に応じた数のＡＰを隣接して配置することができた。
【００７１】
しかし、近年では、チャネルボンディング技術に代表されるような複数の周波数チャネルが束ねられた通信が利用されるようになっている。例えば、当該技術によれば、図８に示したように２つの周波数チャネル、４つの周波数チャネルまたは８つの周波数チャネルが束ねられ、束ねられた周波数チャネルを用いてＡＰとＳＴＡとの間で通信することができる。そのため、周波数チャネル毎に独立してローカル識別子が割り当てられると、チャネルボンディング技術を用いた通信においてローカル識別子が重複する可能性がある。従って、上述したような通信の混乱が生じかねない。また、束ねられる周波数チャネルの単位で独立してローカル識別子を割り当てることも考えられるが、束ねられる周波数チャネルの数が増加するほど、隣接して配置可能なＡＰの数も減少することになる。
【００７２】
そこで、ＳＴＡ２００は、周波数毎にスキャンを実行し、スキャンにより得られるローカル識別子を、受信された当該ローカル識別子が含まれていた第１の信号の周波数に対応付ける。例えば、制御部２２０は、無線通信部２３０に利用可能な周波数について第１の信号の受信を待ち受けさせる。そして、制御部２２０は、スキャンによりローカル識別子が得られると、当該ローカル識別子が含まれていた第１の信号の周波数を無線通信部２３０から取得する。そして、制御部２２０は、取得される周波数と当該ローカル識別子との対応付けと共に、当該ローカル識別子を記録する。これにより、後述するように当該ローカル識別子についての情報が通知されるＡＰ１００は割り当て中のローカル識別子を周波数毎に把握することができる。従って、ローカル識別子が独立して割り当てられる周波数単位でローカル識別子の重複有無を当該ＡＰ１００にて判定することが可能となる。
【００７３】
なお、ローカル識別子を含む第１の信号は、特に限定されず、ローカル識別子が含まれる信号であればどのような信号であってもよい。具体的には、第１の信号は、通信装置１００（２００）または他の通信装置が送信する信号である。例えば、第１の信号は、ＳＴＡが送信するＶＨＴ  ＰＰＤＵ（Very  High  Throughput  PLCP  Protocol  Data  Unit）形式のフレームまたはＡＰが送信するＶＨＴ  ＮＤＰ（Null  Data  Packet）アナウンスメントフレーム、ＢＲＰ（Beamforming  Report  Poll）フレームもしくはアソシエーション応答フレームであってもよい。
【００７４】
（Ａ−２．収集されたローカル識別子を通知）
ＳＴＡ２００は、収集されたローカル識別子をＡＰ１００に通知する。具体的には、ＳＴＡ２００は、受信された上記第１の信号に含まれる第１の情報から特定されるローカル識別子が特定される第２の情報（以下、ローカル情報とも称する。）を含む第２の信号を送信する。
【００７５】
より具体的には、当該ローカル情報は、受信された第１の信号に含まれるローカル識別子を示す情報であり、第２の信号は、アソシエーション要求フレームである。例えば、制御部２２０は、ＡＰ１００の属するＢＳＳへの参入要求が発生すると、収集されたローカル識別子が特定されるローカル情報を生成する。次に、制御部２２０は、当該ローカル情報を含むアソシエーション要求フレームをデータ処理部２１０に生成させ、生成されるアソシエーション要求フレームが無線通信部２３０によって送信される。なお、周波数毎にスキャンが行われる場合には、周波数毎にローカル情報が生成される。また、当該ローカル情報は、ＩＥＥＥ８０２．１１規格で規定されるアソシエーション要求フレームの例えば、新たな２４番目の情報要素として設けられる。さらに、図９および図１０を参照してローカル情報について詳細に説明する。図９および図１０は、本実施形態に係るローカル情報の構成例を示す図である。
【００７６】
まず、図９を参照してローカル識別子がＡＩＤである場合について説明する。例えば、ローカル情報は、図９に示したように、Element  ID、Length、Frequency  Channels、Start  AIDおよびAID  Bitmapといったフィールドを含む。Element  IDフィールドには情報エレメントがローカル情報である旨を示すＩＤが格納され、Lengthには当該情報エレメントの長さを示す情報が格納される。また、Frequency  Channelsフィールドには、周波数チャネルを示す情報が格納される。Start  AIDフィールドにはAID  Bitmapフィールドに格納されるビットマップ情報の開始位置を示す情報が格納され、AID  Bitmapフィールドには、受信されたＡＩＤを示すビットマップ情報が格納される。
【００７７】
続いて、図１０を参照してローカル識別子がＰＩＤである場合について説明する。例えば、ローカル情報は、図１０に示したように、Element  ID、Lengthおよび周波数チャネル毎に設けられるPID  Bitmapといったフィールドを含む。PID  Bitmapフィールドの各々には、各周波数チャネルにて受信されたＰＩＤ、例えばＢＳＳのＣＯＬＯＲ情報を示すビットマップ情報がそれぞれ格納される。
【００７８】
なお、複数のローカル情報が第２の信号に含まれてもよい。例えば、上記のＡＩＤに係るローカル情報および上記のＰＩＤに係るローカル情報の両方がアソシエーション要求フレームに含まれる。この場合、これらのローカル情報は、ＩＥＥＥ８０２．１１規格で規定されるアソシエーション要求フレームの例えば、新たな２４番目および２５番目の情報要素として設けられる。
【００７９】
また、ＡＩＤおよびＰＩＤ以外のローカル識別子が上記の構成で格納されてもよい。また、ローカル情報の構成は、上記の例に限定されず、多様な構成が採用され得る。
【００８０】
また、当該ローカル情報は、ローカル識別子の重複を示す情報であってもよい。例えば、制御部２２０は、ＡＰ１００の属するＢＳＳへの参入要求が発生すると、収集されたローカル識別子について重複有無を判定する。当該ローカル識別子について重複があると判定される場合、制御部２２０は、ローカル識別子が重複する旨を示すローカル情報を生成する。次に、制御部２２０は、当該ローカル情報を含むアソシエーション要求フレームをデータ処理部２１０に生成させ、生成されるアソシエーション要求フレームが無線通信部２３０によって送信される。なお、ローカル情報には、重複を示す情報に加えて、重複しているローカル識別子を示す情報が含まれてもよい。また、周波数毎にスキャンが行われる場合には、周波数毎にローカル識別子の重複を示すローカル情報が生成される。
【００８１】
（Ａ−３．割り当てられたローカル識別子の受け取り）
ＳＴＡ２００は、ＡＰ１００によって割り当てられたローカル識別子を受け取る。具体的には、ＳＴＡ２００は、ＡＰ１００に通知した第２の情報に係るローカル識別子と値が異なるローカル識別子を含む第３の信号をさらに受信する。例えば、当該第３の信号は、アソシエーション応答フレームである。
【００８２】
詳細には、無線通信部２３０は、ローカル情報を含むアソシエーション要求フレームの送信後、当該アソシエーション要求フレームへの応答としてのアソシエーション応答フレームの受信を待ち受ける。次に、当該アソシエーション応答フレームが受信されると、データ処理部２１０は、当該アソシエーション応答フレームからローカル識別子が特定される情報（後述する第３の情報）を取得する。そして、制御部２２０は、取得された第３の情報から特定されるローカル識別子を登録する。ＳＴＡ２００は、登録されたローカル識別子を用いてＡＰ１００と通信する。
【００８３】
なお、周波数毎にローカル識別子が割り当てられる場合、上記第３の情報には、ローカル識別子と周波数との対応付けを示す情報が含まれる。この場合、制御部２２０は、当該対応付けに係る周波数毎にローカル識別子を登録する。
【００８４】
（Ｂ．ＡＰの機能詳細）
続いて、ＡＰ１００の機能詳細について説明する。
【００８５】
（Ｂ−１．収集されたローカル識別子の受け取り）
ＡＰ１００は、ＳＴＡ２００にて収集されたローカル識別子の通知を受け取る。具体的には、ＡＰ１００は、ローカル識別子が特定される第２の情報を含む第２の信号を受信する。より具体的には、データ処理部１１０は、アソシエーション要求フレームが受信されると、当該アソシエーション要求フレームからローカル情報を取得する。次に、制御部１２０は、取得されたローカル情報に基づいてローカル識別子を特定する。そして、制御部１２０は、特定されたローカル識別子を割り当て中のローカル識別子として記録する。
【００８６】
詳細には、ローカル情報がローカル識別子を示す情報である場合、制御部１２０は、ローカル情報の示すローカル識別子をそのまま記録する。例えば、ローカル識別子がＡＩＤであるときは、ＡＩＤを示す情報がＳＴＡ２００から通知されると、制御部１２０は、当該情報の示すＡＩＤを割り当て中のＡＩＤとして記録する。なお、制御部１２０は、通知された情報の示すＡＩＤが、当該ＡＩＤの割り当てられているＢＳＳが判別可能なように記録してもよい。この場合、ＡＩＤがＢＳＳ間で重複しているかどうかを判別することができる。さらに、ＡＩＤがＢＳＳ間で重複している場合、制御部１２０は、ＡＩＤの割り当てを変更してもよい。この場合、重複が解消されるようにＡＩＤが割り当て直されることにより、ＡＩＤの重複による通信の混乱を防止することが可能となる。
【００８７】
また、ローカル情報がローカル情報の重複を示す情報である場合、制御部１２０は、自装置について割り当てられているローカル識別子の中から重複しているローカル識別子を特定し、特定されるローカル識別子を割り当て中のローカル識別子として記録する。例えば、ローカル識別子がＰＩＤとしてのＢＳＳのＣＯＬＯＲ情報であるときは、当該ＣＯＬＯＲ情報の重複を示す情報がＳＴＡ２００から通知されると、制御部１２０は、自装置の属するＢＳＳ（以下、自ＢＳＳとも称する。）について割り当てられているＣＯＬＯＲ情報を取得し、取得されるＣＯＬＯＲ情報を割り当て中（以下、利用中とも称する。）のＣＯＬＯＲ情報として記録する。なお、重複しているＣＯＬＯＲ情報を示す情報が含まれるときは、制御部１２０は、当該ＣＯＬＯＲ情報を利用中のＣＯＬＯＲ情報として記録してもよい。
【００８８】
なお、周波数とローカル識別子とが対応付けられている場合は、当該周波数との対応付けと共にローカル識別子が記録される。
【００８９】
（Ｂ−２．ローカル識別子の割り当て）
ＡＰ１００は、通知されたローカル情報に基づいてローカル識別子を割り当てる。具体的には、ＡＰ１００は、ＳＴＡ２００から受信された第２の信号に含まれるローカル情報から特定されるローカル識別子と値が異なるローカル識別子を割り当てる。より具体的には、制御部１２０は、記録されている割り当て中のローカル識別子を取得し、取得されるローカル識別子と重複しないローカル識別子を選択する。
【００９０】
例えば、ローカル識別子がＡＩＤである場合、制御部１２０は、記録されている割り当て中のＡＩＤを取得し、取得されるＡＩＤと値が異なるＡＩＤをアソシエーション要求フレームの送信元であるＳＴＡ２００に割り当てる。
【００９１】
また、ローカル識別子がＰＩＤとしてのＢＳＳのＣＯＬＯＲ情報である場合、制御部１２０は、記録されている割り当て中のＣＯＬＯＲ情報を取得し、取得されるＣＯＬＯＲ情報と値が異なるＣＯＬＯＲ情報を自ＢＳＳのＣＯＬＯＲ情報として割り当て直す。なお、割り当て中のＣＯＬＯＲ情報が記録されていない、すなわちＣＯＬＯＲ情報が重複していないときには、ＣＯＬＯＲ情報は割り当て直されない。また、ＣＯＬＯＲ情報は重複しているが、未割り当てのＣＯＬＯＲ情報が存在しない場合もＣＯＬＯＲ情報は割り当て直されない。
【００９２】
ここで、制御部１２０は、単一または複数の周波数毎に独立してローカル識別子を割り当る。例えば、制御部１２０は、利用可能な周波数の束ねられる単位がＢＳＳ間で共通する場合には、当該周波数の束ねられる単位毎に割当て中のローカル識別子、例えばＡＩＤが一意となるようにＡＩＤを割り当てる。この場合、周波数の束ねられる範囲内でローカル識別子の重複が回避されることにより、通信の混乱を抑制しながら、チャネルボンディング技術を利用することができる。従って、通信装置１００（２００）の通信おける通信効率の向上が可能となる。
【００９３】
なお、制御部１２０は、複数の周波数で共通してローカル識別子を割り当ててもよい。例えば、制御部１２０は、利用可能な周波数の全てにわたって、割り当て中のＡＩＤが一意となるようにＡＩＤを割り当てる。この場合、利用される全周波数にわたってローカル識別子の重複が回避されるため、ローカル識別子の重複による通信の混乱の発生を確実に抑制することができる。
【００９４】
（Ｂ−３．割り当てられたローカル識別子の通知）
ＡＰ１００は、割り当てられたローカル識別子をＳＴＡ２００に通知する。具体的には、ＡＰ１００は、自装置が割り当てるローカル識別子が特定される第３の情報を含む第３の信号を送信する。より具体的には、当該第３の信号は、アソシエーション応答フレームである。
【００９５】
例えば、制御部１２０は、ローカル識別子の割り当て後に、当該割り当てられたローカル識別子を示す情報を生成する。次に、制御部１２０は、当該ローカル識別子を示す情報を含むアソシエーション応答フレームをデータ処理部１１０に生成させ、生成されるアソシエーション応答フレームが無線通信部１３０によって送信される。なお、周波数毎にローカル識別子が割り当てられる場合には、周波数毎に当該ローカル識別子を示す情報が生成される。
【００９６】
なお、上記では、アソシエーション応答フレームが送信される例を説明したが、割り当てられたローカル識別子の通知には、他のフレームが用いられてもよい。具体的には、ＳＴＡ２００宛てのまたはブロードキャスト方式のローカル識別子を含む特定のフレームが第３の信号として送信されてもよい。より具体的には、当該特定のフレームは、所定の時間間隔で送信されるフレームである。例えば、当該特定のフレームは、ビーコンフレームである。なお、当該特定のフレームが管理フレームのビーコンフレームである例を挙げたが、当該特定のフレームは、管理フレーム、制御フレームまたはデータフレームのうちのいずれの種類のフレームであってもよい。
【００９７】
＜２−３．通信装置の処理＞
次に、本実施形態に係る通信装置１００（２００）の処理について説明する。
【００９８】
（処理の概要）
まず、図１１を参照して、本実施形態に係る通信装置１００（２００）の処理の概要について説明する。図１１は、本実施形態に係る通信装置１００（２００）の処理の概要を概念的に示すシーケンス図である。図１１では、ＳＴＡ２００Ａ＃１が収集したローカル情報をＡＰ１００＃１にアソシエーション要求フレームを用いて通知し、ＡＰ１００＃１が当該ローカル情報に基づいてＳＴＡ２００Ａ＃１に割り当てられるＡＩＤを通知するまでの一連の処理の例が示されている。
【００９９】
ＳＴＡ２００Ａ＃１は、スキャンを開始する（ステップＳ３０１）。具体的には、制御部２２０は、データ処理部２１０および無線通信部２３０に他の通信装置宛ての信号の受信を待ち受けさせる。
【０１００】
スキャン開始後に、ＳＴＡ２００Ａ＃１は、ＡＰ１００＃１からＰＩＤを含むビーコンフレームを受信する（ステップＳ３０２）。具体的には、ＡＰ１００＃１からビーコンフレームが受信されると、データ処理部２１０は、当該ビーコンフレームに含まれる当該ＡＰ１００＃１についてのＰＩＤを取得する。なお、ＰＬＣＰヘッダにＰＩＤが含まれる場合、無線通信部２３０が当該ビーコンフレームのＰＬＣＰヘッダに含まれるＰＩＤを取得してもよい。
【０１０１】
また、ＳＴＡ２００Ａ＃１は、ＡＰ１００＃１の属するＢＳＳと異なる他のＢＳＳに属するＳＴＡ２００＃２からＰＩＤを含むフレームを受信する（ステップＳ３０３）。具体的には、ＳＴＡ２００＃２からフレームが受信されると、無線通信部２３０は、当該フレームのＰＬＣＰヘッダに含まれるＰＩＤを取得する。
【０１０２】
次に、ＳＴＡ２００Ａ＃１は、受信されたフレームに含まれるＰＩＤを記録する（ステップＳ３０４）。具体的には、制御部２２０は、取得されたＰＩＤを記録する。
【０１０３】
また、ＳＴＡ２００Ａ＃１は、ＡＩＤを含むフレームをＳＴＡ２００＃２から受信する（ステップＳ３０５）。具体的には、ＳＴＡ２００＃２から、例えばＶＨＴ  ＰＰＤＵ形式のフレームが受信されると、データ処理部２１０は、当該フレームの送信元または宛先を示す情報として含まれるＡＩＤを取得する。
【０１０４】
次に、ＳＴＡ２００Ａ＃１は、受信されたフレームに含まれるＡＩＤを記録する（ステップＳ３０６）。具体的には、制御部２２０は、取得されたＡＩＤを記録する。
【０１０５】
次に、ＳＴＡ２００Ａ＃１は、スキャンを終了する（ステップＳ３０７）。具体的には、制御部２２０は、スキャン開始から所定の時間が経過すると、スキャンを終了させる。
【０１０６】
次に、ＳＴＡ２００Ａ＃１は、ＰＩＤの重複有無を判定する（ステップＳ３０８）。具体的には、制御部２２０は、自ＢＳＳに割り当てられているＰＩＤと記録されたＰＩＤとの重複有無を判定する。
【０１０７】
次に、ＳＴＡ２００Ａ＃１は、ローカル情報を含むアソシエーション要求フレームをＡＰ１００＃１に送信する（ステップＳ３０９）。具体的には、制御部２２０は、ＡＰ１００＃１の属するＢＳＳへの参入要求が発生すると、記録されたＰＩＤおよびＡＩＤに基づいてローカル情報を生成する。そして、制御部２２０は、生成されたローカル情報を含むアソシエーション要求フレームをデータ処理部２１０に生成させ、生成されるアソシエーション要求フレームが無線通信部２３０によって送信される。
【０１０８】
アソシエーション要求フレームを受信したＡＰ１００＃１は、ローカル情報に基づいてＰＩＤを変更する（ステップＳ３１０）。具体的には、制御部１２０は、アソシエーション要求フレームが受信されると、当該アソシエーション要求フレームに含まれるローカル情報から特定されるＰＩＤを利用中のＰＩＤとして記録する。そして、制御部１２０は、当該利用中のＰＩＤと自ＢＳＳについてのＰＩＤとの重複有無に基づいてＰＩＤを変更する。
【０１０９】
次に、ＡＰ１００＃１は、変更後のＰＩＤを含むビーコンフレームを送信する（ステップＳ３１１）。具体的には、制御部１２０は、ＰＩＤが変更されると、変更後のＰＩＤを含むビーコンフレームをデータ処理部１１０に生成させる。そして、生成されるビーコンフレームが無線通信部１３０によって送信される。
【０１１０】
次に、ＡＰ１００＃１は、ローカル情報に基づいてＡＩＤを割り当てる（ステップＳ３１２）。具体的には、制御部１２０は、ローカル情報から特定されるＡＩＤを割り当て中のＡＩＤとして記録する。そして、制御部１２０は、当該割り当て中のＡＩＤと値が異なるＡＩＤをＳＴＡ２００Ａ＃１に割り当てる。
【０１１１】
次に、ＡＰ１００＃１は、割り当てられたＡＩＤを含むアソシエーション応答フレームをＳＴＡ２００Ａ＃１に送信する（ステップＳ３１３）。具体的には、制御部１２０は、割り当てられたＡＩＤを含むアソシエーション応答フレームをデータ処理部１１０に生成させ、生成されるアソシエーション応答フレームが無線通信部１３０によって送信される。
【０１１２】
アソシエーション応答フレームを受信したＳＴＡ２００Ａ＃１は、割り当てられたＡＩＤを登録する（ステップＳ３１４）。具体的には、アソシエーション応答フレームが受信されると、データ処理部２１０は、当該アソシエーション応答フレームに含まれるＡＩＤを取得する。そして、制御部２２０は、取得されるＡＩＤを自装置に割り当てられたＡＩＤとして登録する。
【０１１３】
（ＳＴＡの処理）
続いて、図１２を参照して、本実施形態に係るＳＴＡ２００の処理の詳細について説明する。図１２は、本実施形態に係るＳＴＡ２００の処理の詳細を概念的に示すフローチャートである。
【０１１４】
ＳＴＡ２００は、スキャンの開始有無を判定する（ステップＳ４０１）。具体的には、制御部２２０は、電源が投入されて自装置が起動すると、スキャンの開始有無を判定する。スキャンを開始すると判定されると、制御部２２０は、データ処理部２１０および無線通信部２３０にスキャンの実行準備をさせる。
【０１１５】
次に、ＳＴＡ２００は、チャネル情報を取得する（ステップＳ４０２）。具体的には、制御部２２０は、自装置で利用可能な周波数チャネルを示す情報を取得する。
【０１１６】
次に、ＳＴＡ２００は、未スキャンのチャネルの有無を判定する（ステップＳ４０３）。具体的には、制御部２２０は、取得される周波数チャネルのうちのスキャンが未実行である周波数チャネルの有無を判定する。
【０１１７】
未スキャンのチャネルがある場合、ＳＴＡ２００は、スキャンを実行する（ステップＳ４０４）。具体的には、制御部２２０は、スキャンが未実行である周波数チャネルについて、スキャンを実行させる。
【０１１８】
次に、ＳＴＡ２００は、受信された信号が無線ＬＡＮ規格の信号であるかを判定する（ステップＳ４０５）。具体的には、無線通信部２３０は、受信された信号の受信時間または周波数等に基づいて無線ＬＡＮ規格の信号であるかを判定する。
【０１１９】
受信された信号が無線ＬＡＮ規格の信号であると判定されると、ＳＴＡ２００は、ＡＩＤが含まれるかを判定する（ステップＳ４０６）。具体的には、無線通信部２３０は、無線ＬＡＮ規格の信号であると判定されると、当該信号について受信処理を行う。次に、データ処理部２１０は、受信処理により得られるフレームにＡＩＤが含まれるかを判定する。なお、ＰＬＣＰヘッダにＡＩＤが含まれる場合には、無線通信部２３０によってＡＩＤの有無が判定されてもよい。
【０１２０】
ＡＩＤが含まれると判定されると、ＳＴＡ２００は、当該ＡＩＤを記録する（ステップＳ４０７）。具体的には、ＡＩＤが受信信号に含まれると判定されると、データ処理部２１０は当該ＡＩＤを取得し、制御部２２０は取得されるＡＩＤを記録する。
【０１２１】
次に、ＳＴＡ２００は、ＰＩＤが含まれるかを判定する（ステップＳ４０８）。具体的には、無線通信部２３０は、ＰＬＣＰヘッダにＰＩＤが含まれるかを判定する。また、データ処理部２１０は、受信処理により得られるフレームにＰＩＤが含まれるかを判定する。
【０１２２】
ＰＩＤが含まれると判定されると、ＳＴＡ２００は、当該ＰＩＤを記録する（ステップＳ４０９）。具体的には、ＰＩＤが受信信号に含まれると判定されると、無線通信部２３０は当該ＰＩＤを取得し、制御部２２０は取得されるＰＩＤを記録する。
【０１２３】
次に、ＳＴＡ２００は、スキャン期間が経過したかを判定する（ステップＳ４１０）。具体的には、制御部２２０は、スキャン開始から所定の時間が経過したかを判定する。当該所定の期間が経過したと判定されると、制御部２２０は、当該周波数についてのスキャンを終了する。
【０１２４】
ステップＳ４０３にて、全てのチャネルについてスキャンが終了したと判定されると、ＳＴＡ２００は、ＢＳＳ参入要求の発生有無を判定する（ステップＳ４１１）。具体的には、制御部２２０は、ＢＳＳへの参入要求、例えばユーザのＢＳＳへの接続を指示する入力に基づいてＡＰ１００へのデータ伝送要求が発生したかを判定する。
【０１２５】
ＢＳＳ参入要求が発生したと判定されると、ＳＴＡ２００は、参入先のＢＳＳの情報を取得する（ステップＳ４１２）。具体的には、制御部２２０は、ＢＳＳへの参入要求が発生すると、参入対象のＢＳＳについての情報、例えばＡＰ１００のアドレス、ＢＳＳＩＤおよび周波数チャネル等の情報を取得する。なお、当該ＢＳＳについての情報は、ＡＰ１００から送信されるビーコンフレームに含まれる情報であってもよい。
【０１２６】
次に、ＳＴＡ２００は、記録されたＰＩＤの重複有無を判定する（ステップＳ４１３）。具体的には、制御部２２０は、記録されたＰＩＤの間で重複があるかを判定する。
【０１２７】
ＰＩＤが重複すると判定されると、ＳＴＡ２００は、ＰＩＤの重複に基づいてＰＩＤ情報を生成する（ステップＳ４１４）。具体的には、制御部２２０は、記録されたＰＩＤの間で重複がある場合、ＰＩＤの重複を示すＰＩＤ情報を生成する。なお、周波数チャネル毎にＰＩＤが管理される場合は、ＡＰ１００の利用周波数チャネルまたは当該利用周波数チャネル以外の他の周波数チャネルにおいてＰＩＤの重複があるときに、制御部２２０は、ＰＩＤの重複を示すＰＩＤ情報を生成する。
【０１２８】
次に、ＳＴＡ２００は、記録されたＡＩＤに基づいてＡＩＤ情報を生成する（ステップＳ４１５）。具体的には、制御部２２０は、記録されたＡＩＤを示す情報を生成する。なお、周波数チャネル毎にＡＩＤが管理される場合は、制御部２２０は、周波数チャネル毎にＡＩＤを示すＡＩＤ情報を生成する。
【０１２９】
次に、ＳＴＡ２００は、ＰＩＤ情報およびＡＩＤ情報を含むアソシエーション要求フレームを生成する（ステップＳ４１６）。具体的には、制御部２２０は、ローカル情報として生成されたＰＩＤ情報およびＡＩＤ情報を含むアソシエーション要求フレームをデータ処理部２１０に生成させる。
【０１３０】
次に、ＳＴＡ２００は、アソシエーション要求フレームを送信する（ステップＳ４１７）。具体的には、無線通信部２３０は、生成されたアソシエーション要求フレームを宛先であるＡＰ１００の利用周波数チャネルで送信する。
【０１３１】
次に、ＳＴＡ２００は、アソシエーション応答フレームが受信されるまで待機する（ステップＳ４１８）。具体的には、無線通信部２３０は、アソシエーション要求フレームの送信後、アソシエーション応答フレームの受信を待ち受ける。
【０１３２】
アソシエーション応答フレームが受信されると、ＳＴＡ２００は、受信フレームに含まれる情報を取得する（ステップＳ４１９）。具体的には、データ処理部２１０は、アソシエーション応答フレームが受信されると、当該アソシエーション応答フレームに含まれるローカル識別子が特定される情報を取得する。
【０１３３】
次に、ＳＴＡ２００は、取得される情報に基づいてＡＩＤを登録する（ステップＳ４２０）。具体的には、制御部２２０は、アソシエーション応答フレームから取得されるＡＩＤを自装置に割り当てられたＡＩＤとして登録する。
【０１３４】
次に、ＳＴＡ２００は、受信フレームにＰＩＤが含まれるかを判定する（ステップＳ４２１）。具体的には、制御部２２０は、アソシエーション応答フレームから取得される情報にＰＩＤが含まれるかを判定する。
【０１３５】
受信フレームにＰＩＤが含まれると判定されると、ＳＴＡ２００は、当該ＰＩＤを登録する（ステップＳ４２２）。具体的には、制御部２２０は、ローカル識別子が特定される情報にＰＩＤが含まれる場合、当該ＰＩＤを参入先のＢＳＳについてのＰＩＤとして登録する。
【０１３６】
（ＡＰの処理）
また、図１３を参照して、本実施形態に係るＡＰ１００の処理の詳細について説明する。図１３は、本実施形態に係るＡＰ１００の処理の詳細を概念的に示すフローチャートである。
【０１３７】
ＡＰ１００は、受信フレームがアソシエーション要求フレームであるかを判定する（ステップＳ５０１）。具体的には、データ処理部１１０は、無線通信部１３０の受信処理により得られるフレームがアソシエーション要求フレームであるかを判定する。
【０１３８】
受信フレームがアソシエーション要求フレームであると判定されると、ＡＰ１００は、受信フレームに含まれる情報を取得する（ステップＳ５０２）。具体的には、アソシエーション要求フレームが受信されたと判定されると、データ処理部１１０は、当該アソシエーション要求フレームに含まれるローカル情報を取得する。
【０１３９】
次に、ＡＰ１００は、取得された情報に基づいてＰＩＤの重複有無を判定する（ステップＳ５０３）。具体的には、制御部１２０は、取得されたローカル情報にＰＩＤの重複を示すＰＩＤ情報が含まれるかを判定する。
【０１４０】
ＰＩＤが重複すると判定されると、ＡＰ１００は、ＰＩＤ情報から周囲のＢＳＳで利用中のＰＩＤを取得する（ステップＳ５０４）。具体的には、制御部１２０は、ＰＩＤの重複を示すＰＩＤ情報が含まれると判定されると、当該ＰＩＤ情報から重複ＰＩＤすなわち周囲のＢＳＳで利用中のＰＩＤを取得する。なお、ＰＩＤ情報がＰＩＤの重複を示す情報のみを有する場合には、当ステップの処理は行われず、ステップＳ５０６に処理が進められる。
【０１４１】
次に、ＡＰ１００は、取得されるＰＩＤを周囲のＢＳＳで利用中のＰＩＤとして記録する（ステップＳ５０５）。具体的には、制御部１２０は、取得されたＰＩＤを周囲のＢＳＳで利用中のＰＩＤとして記録された時間と共に追加的に記録する。
【０１４２】
次に、ＡＰ１００は、周囲のＢＳＳで利用中の全てのＰＩＤを取得する（ステップＳ５０６）。具体的には、制御部１２０は、ＳＴＡ２００からのローカル情報の収集に基づいて記録されている周囲のＢＳＳで利用中の全てのＰＩＤを取得する。
【０１４３】
次に、ＡＰ１００は、自ＢＳＳのＰＩＤの変更有無を判定する（ステップＳ５０７）。具体的には、制御部１２０は、自ＢＳＳに割り当てられているＰＩＤを取得する。次に、制御部１２０は、周囲のＢＳＳで利用中のＰＩＤの各々について自ＢＳＳに割当てられているＰＩＤとの重複有無を判定する。自ＢＳＳのＰＩＤが利用中のＰＩＤのうちのいずれかと重複すると判定された場合、制御部１２０は、当該利用中のＰＩＤのいずれとも重複しない未割り当てのＰＩＤが存在するかを判定する。当該未割り当てのＰＩＤが存在すると判定される場合、制御部１２０は、ＰＩＤを変更すると判定する。当該未割り当てのＰＩＤが存在しない場合、制御部１２０はＰＩＤを変更しないと判定し、処理がステップＳ５１１に進められる。なお、当該未割り当てのＰＩＤが存在しない場合で、記録された時間と共にＰＩＤが記録されるときには、当該記録された時間から所定の時間が経過しているＰＩＤは、未割り当てであると扱われてもよい。また、ＰＩＤの記録から所定の時間が経過すると、当該記録から所定の時間が経過したＰＩＤが削除されてもよい。このように、オーバラップしている可能性が低くなっているＢＳＳについてのＰＩＤを利用することにより、ＰＩＤが枯渇することによるＰＩＤの重複の発生を抑制できる。なお、周波数チャネル毎にローカル情報が管理される場合、自装置で利用される周波数チャネルにおいてＰＩＤが重複するときまたは自装置で利用される周波数チャネル以外の他の周波数チャネルにおいてＰＩＤが重複するときに、ＰＩＤを変更すると判定される。
【０１４４】
自ＢＳＳのＰＩＤを変更すると判定されると、ＡＰ１００は、自ＢＳＳのＰＩＤを重複していないＰＩＤに変更する（ステップＳ５０８）。具体的には、ＰＩＤを変更すると判定されると、制御部１２０は、未割り当てのＰＩＤを自ＢＳＳのＰＩＤとして割り当てし直す。
【０１４５】
次に、ＡＰ１００は、ビーコンフレームの送信時刻が到来したかを判定する（ステップＳ５０９）。具体的には、制御部１２０は、ビーコンフレームの送信時刻が到来したかを判定する。
【０１４６】
ビーコンフレームの送信時刻が到来したと判定されると、ＡＰ１００は、変更後のＰＩＤを含むビーコンフレームを送信する（ステップＳ５１０）。具体的には、ビーコンフレームの送信時刻が到来したと判定されると、制御部１２０は、変更後のＰＩＤを含むビーコンフレームをデータ処理部１１０に生成させる。そして、生成されるビーコンフレームが無線通信部１３０によって送信される。
【０１４７】
次に、ＡＰ１００は、ＳＴＡ２００の自ＢＳＳへの参入を許可するかを判定する（ステップＳ５１１）。具体的には、制御部１２０は、アソシエーション要求フレームの送信元であるＳＴＡ２００の自ＢＳＳへの参入を許可するかを判定する。
【０１４８】
自ＢＳＳへの参入を許可すると判定されると、ＡＰ１００は、受信されたアソシエーション要求フレームにＡＩＤ情報が含まれるかを判定する（ステップＳ５１２）。具体的には、制御部１２０は、自ＢＳＳへの参入を許可すると判定されると、ステップＳ５０２にて取得されたローカル情報にＡＩＤ情報が含まれるかを判定する。
【０１４９】
ＡＩＤ情報が含まれると判定されると、ＡＰ１００は、当該ＡＩＤ情報を取得する（ステップＳ５１３）。具体的には、ローカル情報にＡＩＤ情報が含まれると判定されると、制御部１２０は、当該ＡＩＤ情報を取得する。
【０１５０】
次に、ＡＰ１００は、取得されたＡＩＤ情報に基づいて割り当て中のＡＩＤを更新する（ステップＳ５１４）。具体的には、制御部１２０は、取得されたＡＩＤ情報の示すＡＩＤが割り当て中のＡＩＤとして記録されていない場合、当該ＡＩＤを割り当て中のＡＩＤに追加的に記録する。なお、上述した過去のＰＩＤの記録の削除と同様に、記録されてから所定の時間が経過したＡＩＤの記録は削除されてもよい。
【０１５１】
次に、ＡＰ１００は、新規参入装置にＡＩＤを割り当てる（ステップＳ５１５）。具体的には、制御部１２０は、割り当て中のＡＩＤと重複しないＡＩＤを、アソシエーション要求フレームの送信元であるＳＴＡ２００に割り当てる。
【０１５２】
次に、ＡＰ１００は、アソシエーション応答フレームを生成する（ステップＳ５１６）。具体的には、制御部１２０は、割り当てられたＡＩＤを含むアソシエーション応答フレームをデータ処理部１１０に生成させる。
【０１５３】
次に、ＡＰ１００は、無線伝送路の利用有無を判定する（ステップＳ５１７）。具体的には、無線通信部１３０は、キャリアセンス処理等を行うことにより無線伝送路が利用可能であるかを判定する。
【０１５４】
無線伝送路が利用可能であると判定されると、ＡＰ１００は、アソシエーション応答フレームを送信する（ステップＳ５１８）。具体的には、無線伝送路が利用可能であると判定されると、無線通信部１３０は、生成されたアソシエーション応答フレームを送信する。
【０１５５】
＜２−４．本実施形態のまとめ＞
このように、本開示の一実施形態によれば、ＳＴＡ２００は、無線ＬＡＮにおいて用いられる、グローバル識別子と異なるローカル識別子が特定される第１の情報を含む他の通信装置宛ての第１の信号を受信し、受信された第１の信号に含まれる第１の情報から特定されるローカル識別子が特定される第２の情報を含む第２の信号を送信する。また、ＡＰ１００は、当該ローカル識別子が特定される第２の情報を含む第２の信号を受信し、自装置が割り当てるローカル識別子が特定される第３の情報を含む第３の信号を送信する。このため、ローカル識別子を割り当てるＡＰ１００において、他のＢＳＳで割り当てられているローカル識別子を把握することができる。従って、他のＢＳＳで割り当てられているローカル識別子と重複するローカル識別子の割り当てが回避されることにより、ＯＢＳＳ環境下においてもローカル識別子を用いた通信における混乱を抑制することが可能となる。
【０１５６】
また、上記ローカル識別子は、通信装置に割り当てられる識別子を含む。このため、ローカル識別子の重複により誤って選択された通信装置についてＡＰ１００が通信する可能性を低下させることができる。また、同じローカル識別子を割り当てられたＳＴＡ２００が他のＳＴＡ２００宛ての信号を自装置宛ての信号と誤認識することを回避できる。
【０１５７】
また、上記通信装置に割り当てられる識別子は、アソシエーション識別子を含む。このため、オーバラップするＢＳＳ間でアソシエーション識別子が重複する可能性を低下させることができる。従って、アソシエーション識別子を用いた通信における混乱の発生を抑制することが可能となる。
【０１５８】
また、上記ローカル識別子は、無線通信ネットワークに割り当てられる識別子を含む。このため、ＢＳＳの誤認識によって発生する無駄な通信または送信停止期間の設定等を抑制できる。従って、無線通信リソースの利用効率の低下を抑制することが可能となる。
【０１５９】
また、上記無線通信ネットワークに割り当てられる識別子は、ＢＳＳを物理層で識別するための情報を含む。このため、ＳＴＡ２００は、物理層の受信処理において他のＳＴＡ２００宛ての信号を自装置宛ての信号であると誤認識することを回避できる。従って、物理層での信号の宛先判定処理の正確性が向上することにより、受信処理の効率低下を抑制することが可能となる。
【０１６０】
また、上記第２の情報は、受信された第１の信号に含まれるローカル識別子を示す情報を含む。このため、ＳＴＡ２００は、追加的な処理を行うことなく、ローカル識別子をＡＰ１００へ通知することができる。ＡＰ１００もまた、追加的な処理を行うことなく、ローカル情報からローカル識別子を特定することができる。
【０１６１】
また、上記第２の情報は、ローカル識別子の重複を示す情報を含む。このため、ローカル識別子を示す情報がローカル情報に含まれる場合と比べて、ローカル情報のサイズを低減することができる。従って、通信量が低減され、通信リソースを他の目的に活用することが可能となる。
【０１６２】
また、上記第２の情報は、受信された第１の信号の周波数に対応付けられる。また、上記ローカル識別子は、単一または複数の周波数毎に独立して割り当てられる。このため、割り当て中のローカル識別子が周波数毎に収集され、通知されることにより、周波数単位で、ローカル識別子の重複を回避しながら、異なる周波数間ではローカル識別子の重複を許容させることができる。従って、利用可能なローカル識別子の実質的な範囲の縮小を抑制でき、ローカル識別子の枯渇を抑制することができる。その結果、ＢＳＳがオーバラップするようなＡＰ１００の配置についての許容性を向上させることが可能となる。
【０１６３】
また、上記第２の信号は、アソシエーション要求フレームを含む。このため、ローカル識別子が割り当てられる前のＢＳＳへの参入を要求する際に割り当て中のローカル識別子がＡＰ１００に通知されることにより、重複しないローカル識別子を効率的に割り当てることができる。また、既存のフレームが利用されることにより、通信量の増大を防止できる。
【０１６４】
また、ＳＴＡ２００は、第２の情報に係るローカル識別子と値が異なるローカル識別子を含む第３の信号をさらに受信する。また、ＡＰ１００は、第２の情報から特定される前記ローカル識別子と値が異なるローカル識別子が特定される情報を含む第３の信号を送信する。このため、ＳＴＡ２００で収集されたローカル識別子と値が異なるローカル識別子が割り当てられることにより、ローカル識別子がＢＳＳ間で重複する可能性を低下させることができる。
【０１６５】
また、上記ローカル識別子は、複数の周波数で共通して割り当てられる。このため、割り当て中のローカル識別子と利用される周波数にわたって重複しないローカル識別子が割り当てられることにより、ローカル識別子の重複を確実に防止することができる。
【０１６６】
また、上記第３の信号は、アソシエーション応答フレームを含む。ここで、ＢＳＳへの参入手続きであるアソシエーションにおいては、ローカル識別子の割り当てが行われやすい。そこで、本構成のように、割り当てられたＡＩＤと共に他のローカル識別子がアソシエーション応答フレームを用いてＳＴＡ２００に通知されることにより、効率よく割り当てられたローカル識別子を通知することができる。また、既存のフレームが利用されることにより、通信量の増大を防止できる。
【０１６７】
また、上記第３の信号は、所定の時間間隔で送信されるフレームを含む。ここで、割り当てられるローカル識別子は、ＢＳＳ内のＳＴＡ２００の全てに通知されることが望ましい。特に、ローカル識別子がＢＳＳについてのＰＩＤである場合には、ＡＰ１００とＳＴＡ２００との間でＰＩＤの不一致があると、通信が失敗する可能性が高まる。そこで、本構成のように、所定の時間間隔で送信されるフレームを介してローカル識別子がＳＴＡ２００に通知されることにより、ＳＴＡ２００が当該ローカル識別子を受け取る確実性を向上させることができる。
【０１６８】
＜３．応用例＞
本開示に係る技術は、様々な製品へ応用可能である。例えば、通信装置２００は、スマートフォン、タブレットＰＣ（Personal  Computer）、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、通信装置２００は、スマートメータ、自動販売機、遠隔監視装置又はＰＯＳ（Point  Of  Sale）端末などの、Ｍ２Ｍ（Machine  To  Machine）通信を行う端末（ＭＴＣ（Machine  Type  Communication）端末ともいう）として実現されてもよい。さらに、通信装置２００は、これら端末に搭載される無線通信モジュール（例えば、１つのダイで構成される集積回路モジュール）であってもよい。
【０１６９】
一方、例えば、通信装置１００は、ルータ機能を有し又はルータ機能を有しない無線ＬＡＮアクセスポイント（無線基地局ともいう）として実現されてもよい。また、通信装置１００は、モバイル無線ＬＡＮルータとして実現されてもよい。さらに、通信装置１００は、これら装置に搭載される無線通信モジュール（例えば、１つのダイで構成される集積回路モジュール）であってもよい。
【０１７０】
＜３−１．第１の応用例＞
図１４は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３、アンテナスイッチ９１４、アンテナ９１５、バス９１７、バッテリー９１８及び補助コントローラ９１９を備える。
【０１７１】
プロセッサ９０１は、例えばＣＰＵ（Central  Processing  Unit）又はＳｏＣ（System  on  Chip）であってよく、スマートフォン９００のアプリケーションレイヤ及びその他のレイヤの機能を制御する。メモリ９０２は、ＲＡＭ（Random  Access  Memory）及びＲＯＭ（Read  Only  Memory）を含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１７２】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１７３】
無線通信インタフェース９１３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９１３は、インフラストラクチャーモードにおいては、他の装置と無線ＬＡＮアクセスポイントを介して通信し得る。また、無線通信インタフェース９１３は、アドホックモード又はＷｉ−Ｆｉ  Ｄｉｒｅｃｔ（登録商標）等のダイレクト通信モードにおいては、他の装置と直接的に通信し得る。なお、Ｗｉ−Ｆｉ  Ｄｉｒｅｃｔでは、アドホックモードとは異なり２つの端末の一方がアクセスポイントとして動作するが、通信はそれら端末間で直接的に行われる。無線通信インタフェース９１３は、典型的には、ベースバンドプロセッサ、ＲＦ（Radio  Frequency）回路及びパワーアンプなどを含み得る。無線通信インタフェース９１３は、通信制御プログラムを記憶するメモリ、当該プログラムを実行するプロセッサ及び関連する回路を集積したワンチップのモジュールであってもよい。無線通信インタフェース９１３は、無線ＬＡＮ方式に加えて、近距離無線通信方式、近接無線通信方式又はセルラ通信方式などの他の種類の無線通信方式をサポートしてもよい。アンテナスイッチ９１４は、無線通信インタフェース９１３に含まれる複数の回路（例えば、異なる無線通信方式のための回路）の間でアンテナ９１５の接続先を切り替える。アンテナ９１５は、単一の又は複数のアンテナ素子（例えば、ＭＩＭＯアンテナを構成する複数のアンテナ素子）を有し、無線通信インタフェース９１３による無線信号の送信及び受信のために使用される。
【０１７４】
なお、図１４の例に限定されず、スマートフォン９００は、複数のアンテナ（例えば、無線ＬＡＮ用のアンテナ及び近接無線通信方式用のアンテナ、など）を備えてもよい。その場合に、アンテナスイッチ９１４は、スマートフォン９００の構成から省略されてもよい。
【０１７５】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３及び補助コントローラ９１９を互いに接続する。バッテリー９１８は、図中に破線で部分的に示した給電ラインを介して、図１４に示したスマートフォン９００の各ブロックへ電力を供給する。補助コントローラ９１９は、例えば、スリープモードにおいて、スマートフォン９００の必要最低限の機能を動作させる。
【０１７６】
図１４に示したスマートフォン９００において、図７を用いて説明したデータ処理部２１０、制御部２２０および無線通信部２３０は、無線通信インタフェース９１３において実装されてもよい。また、これら機能の少なくとも一部は、プロセッサ９０１又は補助コントローラ９１９において実装されてもよい。例えば、データ処理部２１０および無線通信部２３０の受信処理により得られる他の通信装置宛ての信号からローカル識別子を取得し、取得されるローカル識別子が特定されるローカル情報を制御部２２０が生成する。そして、生成されるローカル情報を含む信号が無線通信部２３０によって送信される。これにより、既に割り当てられているローカル識別子がスマートフォン９００の通信相手に通知されることにより、当該通信相手は重複しないローカル識別子をスマートフォン９００または当該スマートフォン９００と同じＢＳＳに属する通信装置に割り当てることができる。従って、ローカル識別子を用いた通信において混乱が生じる可能性を低下させることが可能となる。
【０１７７】
なお、スマートフォン９００は、プロセッサ９０１がアプリケーションレベルでアクセスポイント機能を実行することにより、無線アクセスポイント（ソフトウェアＡＰ）として動作してもよい。また、無線通信インタフェース９１３が無線アクセスポイント機能を有していてもよい。
【０１７８】
＜３−２．第２の応用例＞
図１５は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、アンテナスイッチ９３４、アンテナ９３５及びバッテリー９３８を備える。
【０１７９】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１８０】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１８１】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１８２】
無線通信インタフェース９３３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９３３は、インフラストラクチャーモードにおいては、他の装置と無線ＬＡＮアクセスポイントを介して通信し得る。また、無線通信インタフェース９３３は、アドホックモード又はＷｉ−Ｆｉ  Ｄｉｒｅｃｔ等のダイレクト通信モードにおいては、他の装置と直接的に通信し得る。無線通信インタフェース９３３は、典型的には、ベースバンドプロセッサ、ＲＦ回路及びパワーアンプなどを含み得る。無線通信インタフェース９３３は、通信制御プログラムを記憶するメモリ、当該プログラムを実行するプロセッサ及び関連する回路を集積したワンチップのモジュールであってもよい。無線通信インタフェース９３３は、無線ＬＡＮ方式に加えて、近距離無線通信方式、近接無線通信方式又はセルラ通信方式などの他の種類の無線通信方式をサポートしてもよい。アンテナスイッチ９３４は、無線通信インタフェース９３３に含まれる複数の回路の間でアンテナ９３５の接続先を切り替える。アンテナ９３５は、単一の又は複数のアンテナ素子を有し、無線通信インタフェース９３３による無線信号の送信及び受信のために使用される。
【０１８３】
なお、図１５の例に限定されず、カーナビゲーション装置９２０は、複数のアンテナを備えてもよい。その場合に、アンテナスイッチ９３４は、カーナビゲーション装置９２０の構成から省略されてもよい。
【０１８４】
バッテリー９３８は、図中に破線で部分的に示した給電ラインを介して、図１５に示したカーナビゲーション装置９２０の各ブロックへ電力を供給する。また、バッテリー９３８は、車両側から給電される電力を蓄積する。
【０１８５】
図１５に示したカーナビゲーション装置９２０において、図７を用いて説明したデータ処理部２１０、制御部２２０および無線通信部２３０は、無線通信インタフェース９３３において実装されてもよい。また、これら機能の少なくとも一部は、プロセッサ９２１において実装されてもよい。例えば、データ処理部２１０および無線通信部２３０の受信処理により得られる他の通信装置宛ての信号からローカル識別子を取得し、取得されるローカル識別子が特定されるローカル情報を制御部２２０が生成する。そして、生成されるローカル情報を含む信号が無線通信部２３０によって送信される。これにより、既に割り当てられているローカル識別子がカーナビゲーション装置９２０の通信相手に通知されることにより、当該通信相手は重複しないローカル識別子をカーナビゲーション装置９２０または当該カーナビゲーション装置９２０と同じＢＳＳに属する通信装置に割り当てることができる。従って、ローカル識別子を用いた通信において混乱が生じる可能性を低下させることが可能となる。
【０１８６】
また、無線通信インタフェース９３３は、上述した通信装置１００として動作し、車両に乗るユーザが有する端末に無線接続を提供してもよい。その際、例えば、カーナビゲーション装置９２０は、受信されたローカル情報に基づいて当該ユーザが有する端末にローカル識別子を割り当て、割り当てられるローカル識別子が特定される情報を含む信号を当該ユーザが有する端末に送信する。これにより、当該ユーザが有する端末に割り当てられるローカル識別子が他の端末に割り当てられたローカル識別子と重複することを回避できる。従って、カーナビゲーション装置９２０と当該ユーザが有する端末との間の通信において混乱が生じる可能性を低下させることが可能となる。
【０１８７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１８８】
＜３−３．第３の応用例＞
図１６は、本開示に係る技術が適用され得る無線アクセスポイント９５０の概略的な構成の一例を示すブロック図である。無線アクセスポイント９５０は、コントローラ９５１、メモリ９５２、入力デバイス９５４、表示デバイス９５５、ネットワークインタフェース９５７、無線通信インタフェース９６３、アンテナスイッチ９６４及びアンテナ９６５を備える。
【０１８９】
コントローラ９５１は、例えばＣＰＵ又はＤＳＰ（Digital  Signal  Processor）であってよく、無線アクセスポイント９５０のＩＰ（Internet  Protocol）レイヤ及びより上位のレイヤの様々な機能（例えば、アクセス制限、ルーティング、暗号化、ファイアウォール及びログ管理など）を動作させる。メモリ９５２は、ＲＡＭ及びＲＯＭを含み、コントローラ９５１により実行されるプログラム、及び様々な制御データ（例えば、端末リスト、ルーティングテーブル、暗号鍵、セキュリティ設定及びログなど）を記憶する。
【０１９０】
入力デバイス９５４は、例えば、ボタン又はスイッチなどを含み、ユーザからの操作を受け付ける。表示デバイス９５５は、ＬＥＤランプなどを含み、無線アクセスポイント９５０の動作ステータスを表示する。
【０１９１】
ネットワークインタフェース９５７は、無線アクセスポイント９５０が有線通信ネットワーク９５８に接続するための有線通信インタフェースである。ネットワークインタフェース９５７は、複数の接続端子を有してもよい。有線通信ネットワーク９５８は、イーサネット（登録商標）などのＬＡＮであってもよく、又はＷＡＮ（Wide  Area  Network）であってもよい。
【０１９２】
無線通信インタフェース９６３は、ＩＥＥＥ８０２．１１ａ、１１ｂ、１１ｇ、１１ｎ、１１ａｃ及び１１ａｄなどの無線ＬＡＮ標準のうちの１つ以上をサポートし、近傍の端末へアクセスポイントとして無線接続を提供する。無線通信インタフェース９６３は、典型的には、ベースバンドプロセッサ、ＲＦ回路及びパワーアンプなどを含み得る。無線通信インタフェース９６３は、通信制御プログラムを記憶するメモリ、当該プログラムを実行するプロセッサ及び関連する回路を集積したワンチップのモジュールであってもよい。アンテナスイッチ９６４は、無線通信インタフェース９６３に含まれる複数の回路の間でアンテナ９６５の接続先を切り替える。アンテナ９６５は、単一の又は複数のアンテナ素子を有し、無線通信インタフェース９６３による無線信号の送信及び受信のために使用される。
【０１９３】
図１６に示した無線アクセスポイント９５０において、図７を用いて説明したデータ処理部１１０、制御部１２０および無線通信部１３０は、無線通信インタフェース９６３において実装されてもよい。また、これら機能の少なくとも一部は、コントローラ９５１において実装されてもよい。例えば、無線アクセスポイント９５０は、受信されたローカル情報に基づいて、自装置と接続されるＳＴＡにローカル識別子を割り当て、割り当てられるローカル識別子が特定される情報を含む信号を当該ＳＴＡに送信する。これにより、当該ＳＴＡに割り当てられるローカル識別子が他のＳＴＡに割り当てられたローカル識別子と重複することを回避できる。従って、無線アクセスポイント９５０と当該ＳＴＡとの間の通信において混乱が生じる可能性を低下させることが可能となる。
【０１９４】
＜４．むすび＞
以上、本開示の一実施形態によれば、ローカル識別子を割り当てるＡＰ１００において、他のＢＳＳで割り当てられているローカル識別子を把握することができる。従って、他のＢＳＳで割り当てられているローカル識別子と重複するローカル識別子の割り当てが回避されることにより、ＯＢＳＳ環境下においてもローカル識別子を用いた通信における混乱を抑制することが可能となる。
【０１９５】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１９６】
例えば、上記実施形態では、ＡＰ１００へのローカル識別子の通知にアソシエーション要求フレームが利用されるとしたが、本技術はかかる例に限定されない。例えば、既にアソシエーション処理済みである場合には、ＡＰ１００宛てのローカル識別子を含む特定のフレームが送信されてもよい。なお、当該特定のフレームは、データフレーム、管理フレームまたは制御フレームのうちのいずれの種類のフレームであってもよい。
【０１９７】
また、上記実施形態では、ＳＴＡ２００にてローカル識別子の重複判定が行われる例を説明したが、ＡＰ１００にてローカル識別子の重複判定が行われてもよい。具体的には、ＳＴＡ２００は、ローカル識別子とＢＳＳが識別される情報との組を含むローカル情報をＡＰ１００に通知する。そして、ＡＰ１００は、自ＢＳＳと一致するＢＳＳについてのローカル識別子が、通知されるローカル情報に含まれるかを判定する。この場合、ＳＴＡ２００における当該重複判定処理を省略することができるため、ＳＴＡ２００における処理負荷および電力消費を低減することが可能となる。
【０１９８】
また、上記実施形態では、ＳＴＡ２００のみがローカル識別子を収集する例を説明したが、それに加えてＡＰ１００がローカル識別子を収集してもよい。例えば、ＡＰ１００＃１は、図４Ｂに示したようなＳＴＡ２００＃２から受信される信号に含まれるローカル識別子を記録してもよい。
【０１９９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２００】
また、上記の実施形態のフローチャートに示されたステップは、記載された順序に沿って時系列的に行われる処理はもちろん、必ずしも時系列的に処理されなくとも、並列的にまたは個別的に実行される処理をも含む。また時系列的に処理されるステップでも、場合によっては適宜順序を変更することが可能であることは言うまでもない。
【０２０１】
なお、以下のような構成も本開示の技術的範囲に属する。
（１）
無線ＬＡＮ（Local  Area  Network）において用いられる、グローバル識別子と異なるローカル識別子が特定される第１の情報を含む他の通信装置宛ての第１の信号を受信し、
受信された前記第１の信号に含まれる前記第１の情報から特定される前記ローカル識別子が特定される第２の情報を含む第２の信号を送信する通信部を備える、通信装置。
（２）
前記ローカル識別子は、通信装置に割り当てられる識別子を含む、前記（１）に記載の通信装置。
（３）
前記通信装置に割り当てられる識別子は、アソシエーション識別子を含む、前記（２）に記載の通信装置。
（４）
前記ローカル識別子は、無線通信ネットワークに割り当てられる識別子を含む、前記（１）〜（３）のいずれか１項に記載の通信装置。
（５）
前記無線通信ネットワークに割り当てられる識別子は、ＢＳＳ（Basic  Service  Set）を物理層で識別するための情報を含む、前記（４）に記載の通信装置。
（６）
前記第２の情報は、受信された前記第１の信号に含まれる前記ローカル識別子を示す情報を含む、前記（１）〜（５）のいずれか１項に記載の通信装置。
（７）
前記第２の情報は、前記ローカル識別子の重複を示す情報を含む、前記（１）〜（６）のいずれか１項に記載の通信装置。
（８）
前記第２の情報は、受信された前記第１の信号の周波数に対応付けられる、前記（１）〜（７）のいずれか１項に記載の通信装置。
（９）
前記第２の信号は、アソシエーション要求フレームを含む、前記（１）〜（８）のいずれか１項に記載の通信装置。
（１０）
前記通信部は、前記第２の情報に係る前記ローカル識別子と値が異なる前記ローカル識別子が特定される第３の情報を含む第３の信号をさらに受信する、前記（１）〜（９）のいずれか１項に記載の通信装置。
（１１）
無線ＬＡＮ（Local  Area  Network）において用いられる、グローバル識別子と異なるローカル識別子が特定される第２の情報を含む第２の信号を受信し、
自装置が割り当てるローカル識別子が特定される第３の情報を含む第３の信号を送信する通信部を備える、通信装置。
（１２）
前記第３の情報から特定されるローカル識別子は、前記第２の信号に含まれる前記第２の情報から特定される前記ローカル識別子と値が異なる、前記（１１）に記載の通信装置。
（１３）
前記ローカル識別子は、単一または複数の周波数毎に独立して割り当てられる、前記（１１）または（１２）に記載の通信装置。
（１４）
前記ローカル識別子は、複数の周波数で共通して割り当てられる、前記（１１）〜（１３）のいずれか１項に記載の通信装置。
（１５）
前記第３の信号は、アソシエーション応答フレームを含む、前記（１１）〜（１４）のいずれか１項に記載の通信装置。
（１６）
前記第３の信号は、所定の時間間隔で送信されるフレームを含む、前記（１１）〜（１５）のいずれか１項に記載の通信装置。
（１７）
通信部によって、無線ＬＡＮ（Local  Area  Network）において用いられる、グローバル識別子と異なるローカル識別子が特定される第１の情報を含む他の通信装置宛ての第１の信号を受信することと、
受信された前記第１の信号に含まれる前記第１の情報から特定される前記ローカル識別子が特定される第２の情報を含む第２の信号を送信することと、
を含む、通信方法。
（１８）
通信部によって、無線ＬＡＮ（Local  Area  Network）において用いられる、グローバル識別子と異なるローカル識別子が特定される第２の情報を含む第２の信号を受信することと、
自装置が割り当てるローカル識別子が特定される第３の情報を含む第３の信号を送信することと、
を含む、通信方法。
【符号の説明】
【０２０２】
１００    ＡＰ
２００    ＳＴＡ
１１０、２１０    データ処理部
１２０、２２０    制御部
１３０、２３０    無線通信部
【図１】
2017064902.tif 000003
【図２Ａ】
2017064902.tif 000004
【図２Ｂ】
2017064902.tif 000005
【図３Ａ】
2017064902.tif 000006
【図３Ｂ】
2017064902.tif 000007
【図４Ａ】
2017064902.tif 000008
【図４Ｂ】
2017064902.tif 000009
【図５Ａ】
2017064902.tif 000010
【図５Ｂ】
2017064902.tif 000011
【図６】
2017064902.tif 000012
【図７】
2017064902.tif 000013
【図８】
2017064902.tif 000014
【図９】
2017064902.tif 000015
【図１０】
2017064902.tif 000016
【図１１】
2017064902.tif 000017
【図１２】
2017064902.tif 000018
【図１３】
2017064902.tif 000019
【図１４】
2017064902.tif 000020
【図１５】
2017064902.tif 000021
【図１６】
2017064902.tif 000022
【国際調査報告】
2017064902.tif 000023
2017064902.tif 000024
2017064902.tif 000025
2017064902.tif 000026